(57)【要約】  移動体通信システム用基地局は、少なくとも１のユーザ機器と通信を行うように構成される回路を含む。この回路はさらに、セルによって提供される少なくとも１のサービスを示すビットマップを含む最小システム情報を送信するように構成される。【選択図】図１
2021503214.tif 000002
【特許請求の範囲】
【請求項１】
少なくとも１のユーザ機器と通信を行うように構成される回路を含む移動体通信システム用基地局であって、
前記回路はさらに、セルによって提供される少なくとも１のサービスを示すビットマップを含む最小システム情報を送信するように構成される、
移動体通信システム用基地局。
【請求項２】
請求項１に記載の基地局であって、
前記ビットマップは複数のビットを含み、
各ビットは、前記セルによって提供される関連サービスを示す、
基地局。
【請求項３】
請求項１に記載の基地局であって、
前記ビットマップは複数のビットを含み、
各ビットは、前記セルによって提供される関連サービスグループを示す、
基地局。
【請求項４】
少なくとも１の基地局と通信を行うように構成される回路を含む移動体通信システム用ユーザ機器であって、
前記回路はさらに、
セルによって提供される少なくとも１のサービスを示すビットマップを含む最小システム情報を受信し、
前記最小システム情報に含まれる前記ビットマップに基づいて前記セルを選択するように構成される、
移動体通信システム用ユーザ機器。
【請求項５】
請求項４に記載のユーザ機器であって、
前記ビットマップは複数のビットを含み、
各ビットは、前記セルによって提供される関連サービスを示す、
ユーザ機器。
【請求項６】
請求項４に記載のユーザ機器であって、
前記ビットマップは複数のビットを含み、
各ビットは、前記セルによって提供される関連サービスグループを示す、
ユーザ機器。
【請求項７】
少なくとも１のユーザ機器と通信を行うように構成される回路を含む移動体通信システム用基地局であって、
前記回路はさらに、セルによって提供される少なくとも１のサービスを示すスケジューリング情報を送信するように構成される、
移動体通信システム用基地局。
【請求項８】
請求項７に記載の基地局であって、
前記スケジューリング情報はシステム情報ブロック用のスケジューリング情報を含み、
前記システム情報ブロックは、前記セルによって提供される少なくとも１のサービス用のサービス関連情報を含む、
基地局。
【請求項９】
少なくとも１の基地局と通信を行うように構成される回路を含む移動体通信システム用ユーザ機器であって、
前記回路はさらに、
セルによって提供される少なくとも１のサービスを示すスケジューリング情報を受信し、
受信した前記スケジューリング情報に基づいて前記セルを選択するように構成される、
移動体通信システム用ユーザ機器。
【請求項１０】
請求項９に記載のユーザ機器あって、
前記スケジューリング情報はシステム情報ブロック用のスケジューリング情報を含み、
前記システム情報ブロックは、前記セルによって提供される少なくとも１のサービス用のサービス関連情報を含む、
ユーザ機器。
【請求項１１】
少なくとも１のユーザ機器と通信を行うように構成される回路を含む移動体通信システム用基地局であって、
前記回路はさらに、セルがサービス専用セルであることを示すマスタ情報ブロック内の情報を送信するように構成される、
移動体通信システム用基地局。
【請求項１２】
請求項１１に記載の基地局であって、
前記情報は、前記セルがサービス専用セルであることを示すビットを含む、
基地局。
【請求項１３】
請求項１１に記載の基地局であって、
前記回路はさらに、前記サービス専用セルによって提供される少なくとも１のサービスを示すビットマップを含むシステム情報を送信するように構成される、
基地局。
【請求項１４】
請求項１３に記載の基地局であって、
前記ビットマップは、前記サービス専用セルと関連付けられているシステム情報ブロックに含まれる、
基地局。
【請求項１５】
請求項１４に記載の基地局であって、
前記ビットマップはスケジューリング情報に含まれる、
基地局。
【請求項１６】
少なくとも１の基地局と通信を行うように構成される回路を含む移動体通信システム用ユーザ機器であって、
前記回路はさらに、
セルがサービス専用セルであることを示すマスタ情報ブロック内の情報を受信し、
受信した前記情報に基づいて前記サービス専用セルにサポートされている少なくとも１のサービスを特定するように構成される、
ユーザ機器。
【請求項１７】
請求項１６に記載のユーザ機器であって、
前記情報は、前記セルがサービス専用セルであることを示すビットを含む、
ユーザ機器。
【請求項１８】
請求項１６に記載のユーザ機器であって、
前記回路はさらに、前記サービス専用セルによって提供される少なくとも１のサービスを示すビットマップを含むシステム情報を受信するように構成される、
ユーザ機器。
【請求項１９】
請求項１８に記載のユーザ機器であって、
前記少なくとも１のサービスは前記ビットマップに基づいて特定される、
ユーザ機器。
【請求項２０】
請求項１８に記載のユーザ機器であって、
前記ビットマップは、前記サービス専用セルと関連付けられているシステム情報ブロックに含まれる、
ユーザ機器。
【請求項２１】
請求項２０に記載のユーザ機器であって、
前記ビットマップはスケジューリング情報に含まれる、
ユーザ機器。
【請求項２２】
少なくとも１のユーザ機器と通信を行うように構成される回路を含む移動体通信システム用基地局であって、
前記回路はさらに、
セルがサービス専用セルであることを示す少なくとも１のビットを含む最小システム情報を送信し、
オンデマンドシステム情報内のサービス関連情報を送信するように構成される、
移動体通信システム用基地局。
【請求項２３】
少なくとも１の基地局と通信を行うように構成される回路を含む移動体通信システム用ユーザ機器であって、
前記回路はさらに、
セルがサービス専用セルであることを示す少なくとも１のビットを含む最小システム情報を受信し、
前記最小システム情報に含まれる少なくとも１のビットに基づいて、サービス関連情報を含むオンデマンドシステム情報を要求するように構成される、
移動体通信システム用ユーザ機器。
【請求項２４】
少なくとも１の基地局と通信を行うように構成される回路を含む移動体通信システム用ユーザ機器であって、
前記回路はさらに、
サービスに基づいて通信周波数を選択し、
選択された前記通信周波数を用いてセルへのキャンプオンを行い、
サービス関連情報を含むシステム情報を受信し、
前記サービス関連情報に基づいて、キャンプオンを行った前記セルが期待のサービスを提供するかどうかを特定するように構成される、
移動体通信システム用ユーザ機器。
【請求項２５】
請求項２４に記載のユーザ機器であって、
前記回路はさらに、キャンプオンを行った前記セルが期待のサービスを提供しないと特定された際に、他のセルを選択するように構成される、
ユーザ機器。
【請求項２６】
請求項２４に記載のユーザ機器であって、
前記回路はさらに、前記サービス関連情報に基づいて、ランダムアクセスプリアンブルおよび／または物理チャネルリソースを特定するように構成される、
ユーザ機器。
【請求項２７】
少なくとも１の基地局と通信を行うように構成される回路を含む移動体通信システム用ユーザ機器であって、
前記回路はさらに、
サービス関連情報を含むシステム情報を受信し、
前記サービス関連情報に基づいてセルを選択するように構成される、
移動体通信システム用ユーザ機器。
【請求項２８】
請求項２７に記載のユーザ機器であって、
前記サービス関連情報に基づいて特定されたセルが期待のサービスを提供する、
ユーザ機器。
【請求項２９】
請求項２８に記載のユーザ機器であって、
複数のセルのうち、最も強い信号を提供し、かつ期待のサービスを提供するセルを選択する、
ユーザ機器。
【請求項３０】
請求項２７に記載のユーザ機器であって、
前記サービス関連情報は、マスタ情報ブロックまたはシステム情報ブロックに含まれる、
ユーザ機器。
【請求項３１】
少なくとも１の基地局と通信を行うように構成される回路を含む移動体通信システム用ユーザ機器であって、
前記回路はさらに、アイドル状態または非アクティブ状態から接続状態へ移行すると、前記接続状態へ移行する前に受信したシステム情報に含まれるサービス関連情報に基づいて、期待のサービスが接続セルによって提供されるかどうかを特定するように構成される、
ユーザ機器。
【請求項３２】
請求項３１に記載のユーザ機器であって、
前記回路はさらに、他のセルによって前記期待のサービスが提供される際には、前記他のセルから受信したサービス関連情報に基づいて前記他のセルを選択するように構成される、
ユーザ機器。
【請求項３３】
請求項３２に記載のユーザ機器であって、
前記回路はさらに、前記他のセルに対してレジュームリクエストを送信するように構成される、
ユーザ機器。
【発明の詳細な説明】
【技術分野】
【０００１】
本開示は概して、基地局およびユーザ機器に関する。
【背景技術】
【０００２】
移動体通信システムでは、例えば第３世代（「３Ｇ」）、第４世代（「４Ｇ」）、現在の第５世代（「５Ｇ」）といったいくつかのジェネレーションが知られている。第３世代（「３Ｇ」）は「ＩＭＴ−２０００」（Ｉｎｔｅｒｎａｔｉｏｎａｌ  Ｍｏｂｉｌｅ  Ｔｅｌｅｃｏｍｍｕｎｉｃａｔｉｏｎ  ２０００）規格に基づく。第４世代（「４Ｇ」）はＩＭＴ−Ａｄｖａｎｃｅｄ  Ｓｔａｎｄａｒｄ（Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ  Ｓｔａｎｄａｒｄ）に規定される機能を提供する。第５世代（「５Ｇ」）は現在開発中であり、２０２０年に実用予定である。
【０００３】
５Ｇの要件を提供する候補としては、いわゆる「ＬＴＥ」（Ｌｏｎｇ  Ｔｅｒｍ  Ｅｖｏｌｕｔｉｏｎ）がある。ＬＴＥはすでに第４世代移動体通信システムで使用されている無線通信技術であり、携帯電話やデータ端末の高速データ通信を可能にする。５Ｇの要件を満たす他の候補としては、いわゆるＮｅｗ  Ｒａｄｉｏ（ＮＲ）Ａｃｃｅｓｓ  Ｔｅｃｈｎｏｌｏｇｙ  Ｓｙｓｔｅｍ（ＮＲ）が挙げられる。ＬＴＥが従来の世代の移動体通信技術に基づいているのと同様に、ＮＲもＬＴＥ技術に基づく。
【０００４】
ＬＴＥは第２世代（「２Ｇ」）のＧＳＭ／ＥＤＧＥ（「Ｇｌｏｂａｌ  Ｓｙｓｔｅｍ  ｆｏｒ  Ｍｏｂｉｌｅ  Ｃｏｍｍｕｎｉｃａｔｉｏｎｓ」／「Ｅｎｈａｎｃｅｄ  Ｄａｔａ  ｒａｔｅｓ  ｆｏｒ  ＧＳＭ  Ｅｖｏｌｕｔｉｏｎ」。ＥＧＰＲＳとも呼ぶ）および第３世代（「３Ｇ」）ネットワーク技術のＵＭＴＳ／ＨＳＰＡ（「Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ」／「Ｈｉｇｈ  Ｓｐｅｅｄ  Ｐａｃｋｅｔ  Ａｃｃｅｓｓ」）に基づく。
【０００５】
ＬＴＥは、３ＧＰＰ（「第３世代パートナーシッププロジェクト」）の制御下で標準化され、基本のＬＴＥよりも高いデータレートを可能にし、同じく３ＧＰＰの制御下で標準化される後継のＬＴＥ−Ａ（ＬＴＥ  Ａｄｖａｎｃｅｄ）が存在する。
【０００６】
将来的には、３ＧＰＰは、５Ｇの技術的要件を満たすことができるように、ＬＴＥ−Ａをさらに発展させる予定である。
【０００７】
５Ｇシステムは、それぞれＬＴＥまたはＬＴＥ−Ａに基づき得るため、５Ｇ技術の特定の要件は基本的に、ＬＴＥおよびＬＴＥ−Ａ標準文書で既に定義されている特徴および方法に基づき取り扱うことが想定される。
【０００８】
５Ｇ技術は、いわゆる「仮想セル」または「ローカルセル」などのコンセプトを可能にする。このコンセプトでは、ユーザ機器（「ＵＥ」）、例えば、モバイル通信インターフェースを含む携帯電話、コンピュータ、タブレット、タブレットパーソナルコンピュータなどや、モバイル通信インターフェースを有するホットスポットデバイスなど、例えば、ＬＴＥ（−Ａ）やＮＲを介してモバイル通信を行うことができる任意の他のデバイスによってセルが提供される。
【０００９】
ＬＴＥでのＩＰマルチメディアシステム（ＩＭＳ）の導入に従って、制御プレーンとユーザプレーンとの間の論理的分離が導入され、制御プレーンとユーザプレーンとの間の物理的分離が、５Ｇのための可能なソリューションとして提案されている。サービス継続性を維持するために、制御プレーンに関する要件としては、基本的に頑強性と広いカバレージが求められているため、マクロまたはアンカー基地局は、制御プレーンのリンクを提供し得る。
【００１０】
また、セル（例えばノーマルセルや仮想セルなど）は、Ｄ２Ｄ（ｄｅｖｉｃｅ−ｔｏ−ｄｅｖｉｃｅ）通信やＭＢＭＳ（ｍｕｌｔｉｍｅｄｉａ  ｂｒｏａｄｃａｓｔ  ｍｕｌｔｉｃａｓｔ  ｓｅｒｖｉｃｅ）、ｅＭＢＢ（ｅｎｈａｎｃｅｄ  ｍｏｂｉｌｅ  ｂｒｏａｄｂａｎｄ）、ＵＲＬＬＣ（ｕｌｔｒａ−ｒｅｌｉａｂｌｅ  ｌｏｗ−ｌａｔｅｎｃｙ  ｃｏｍｍｕｎｉｃａｔｉｏｎ）などの１以上の所定のサービスを提供するように構成されることが知られている。
【００１１】
セルによってサポートされるサービスは多岐にわたり、また新たなサービスも将来的に導入され得ると考えられている。
【００１２】
一般的に、セルによって提供されるサービスを示すためのいくつかのアプローチがある。
【００１３】
例えば、３ＧＰＰ  ＲＡＮ２  ＮＲ−Ａｄｈｏｃ＃１ミーティングにおいて、システム情報に関して下記のような合意が成立した。
１．  ＬＴＥにおいて、ＵＥはサービスに基づいて周波数の優先順位をつけることができる。選択された周波数において、ＵＥは最良のセルへのキャンプオンを試みる。
２．  適合性基準としては、セル品質が閾値を超えていること、セルが規制（ｂａｒｒｅｄ）されていないこと、セルが選択された／Ｒ（Ｅ）ＰＬＭＮに属していること、が挙げられる。（もしあれば）他の条件も研究対象となる（ＦＦＳ（ｆｏｒ  ｆｕｒｔｈｅｒ  ｓｔｕｄｙ））。
３．  セルは、（例えば最小ＳＩにおいて）サポートするサービスのブロードキャスト送信を行う。
【００１４】
ＬＴＥでは、ＭＢＭＳやＣＳＧ（ｃｌｏｓｅｄ  ｓｕｂｓｃｒｉｂｅｒ  ｇｒｏｕｐ）など、サービスに応じた一定のレベルのセル選択／再選択が可能である。例えば、３ＧＰＰ  ＴＳ  ３６．３３１  Ｖ  １４．４  ．０  （２０１７−０９）の文書である「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  １４）」のセクション５．２．１．１によると、ＵＥがセル内のＭＢＭＳサービスを受信していたり、受信を希望している場合、ＵＥはシステム情報取得・変更監視プロシージャを適用して、ＭＢＭＳ動作に関連するパラメータを取得し、システム情報から取得したパラメータをこのセルのＭＢＭＳ動作にのみ適用することが知られている。
【００１５】
３ＧＰＰ  ＴＳ  ３６．３０４  Ｖ１４．４．０  （２０１７−０９）の文書である「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ（Ｒｅｌｅａｓｅ  １４）」によると、ＵＥがＭＢＭＳサービスの継続またはＳＣ−ＰＴＭ（単一セルポイントからマルチポイント）の受信のいずれかが可能で、ＭＢＭＳサービスを受信しているか、またはＭＢＭＳサービスの受信を希望しており、ＭＢＭＳサービスが提供されている周波数へのキャンプオン中にのみこのＭＢＭＳサービスを受信できる場合、この文書においてさらに定義されている２つの条件が満たされる時にのみ、ＵＥはＭＢＭＳセッション中にその周波数が最優先だと見なし得ることが知られている。
【００１６】
さらに、３ＧＰＰ文書であるＴＤｏｃ  Ｒ２−１７１０１０４、Ｒ２−１７１０４６９、およびＲ２−１７１０２２１に例示されるように、セルによってＵＥに提供されるサービスのインジケーションに関しては、２つの案が存在する。
【００１７】
セルによって提供されるサービスのシグナリングの技術は公知だが、公知のシグナリングおよびメッセージング方法の改善が一般的に望まれている。
【発明の概要】
【００１８】
第１の側面によれば、本開示は少なくとも１のユーザ機器と通信を行うように構成される回路を含む移動体通信システム用基地局を提供する。上記回路はさらに、セルによって提供される少なくとも１のサービスを示すビットマップを含む最小システム情報を送信するように構成される。
【００１９】
第２の側面によれば、本開示は少なくとも１の基地局と通信を行うように構成される回路を含む移動体通信システム用ユーザ機器を提供する。上記回路はさらに、セルによって提供される少なくとも１のサービスを示すビットマップを含む最小システム情報を受信し、上記最小システム情報に含まれる上記ビットマップに基づいて上記セルを選択するように構成される。
【００２０】
第３の側面によれば、本開示は少なくとも１のユーザ機器と通信を行うように構成される回路を含む移動体通信システム用基地局を提供する。上記回路はさらに、セルによって提供される少なくとも１のサービスを示すスケジューリング情報を送信するように構成される。
【００２１】
第４の側面によれば、本開示は少なくとも１の基地局と通信を行うように構成される回路を含む移動体通信システム用ユーザ機器を提供する。上記回路はさらに、セルによって提供される少なくとも１のサービスを示すスケジューリング情報を受信し、受信した上記スケジューリング情報に基づいて上記セルを選択するように構成される。
【００２２】
第５の側面によれば、本開示は少なくとも１のユーザ機器と通信を行うように構成される回路を含む移動体通信システム用基地局を提供する。上記回路はさらに、セルがサービス専用セルであることを示すマスタ情報ブロック内の情報を送信するように構成される。
【００２３】
第６の側面によれば、本開示は少なくとも１の基地局と通信を行うように構成される回路を含む移動体通信システム用ユーザ機器を提供する。上記回路はさらに、セルがサービス専用セルであることを示すマスタ情報ブロック内の情報を受信し、受信した上記情報に基づいて上記サービス専用セルにサポートされている少なくとも１のサービスを特定するように構成される。
【００２４】
第７の側面によれば、本開示は少なくとも１のユーザ機器と通信を行うように構成される回路を含む移動体通信システム用基地局を提供する。上記回路はさらに、セルがサービス専用セルであることを示す少なくとも１のビットを含む最小システム情報を送信し、オンデマンドシステム情報内のサービス関連情報を送信するように構成される。
【００２５】
第８の側面によれば、本開示は少なくとも１の基地局と通信を行うように構成される回路を含む移動体通信システム用ユーザ機器を提供する。上記回路はさらに、セルがサービス専用セルであることを示す少なくとも１のビットを含む最小システム情報を受信し、上記最小システム情報に含まれる少なくとも１のビットに基づいて、サービス関連情報を含むオンデマンドシステム情報を要求するように構成される。
【００２６】
第９の側面によれば、本開示は少なくとも１の基地局と通信を行うように構成される回路を含む移動体通信システム用ユーザ機器を提供する。上記回路はさらに、サービスに基づいて通信周波数を選択し、選択された上記通信周波数を用いてセルへのキャンプオンを行い、サービス関連情報を含むシステム情報を受信し、上記サービス関連情報に基づいて、キャンプオンを行った上記セルが期待のサービスを提供するかどうかを特定するように構成される。
【００２７】
第１０の側面によれば、本開示は少なくとも１の基地局と通信を行うように構成される回路を含む移動体通信システム用ユーザ機器を提供する。上記回路はさらに、サービス関連情報を含むシステム情報を受信し、上記サービス関連情報に基づいてセルを選択するように構成される。
【００２８】
第１１の側面によれば、本開示は少なくとも１の基地局と通信を行うように構成される回路を含む移動体通信システム用ユーザ機器を提供する。上記回路はさらに、アイドル状態または非アクティブ状態から接続状態へ移行すると、上記接続状態へ移行する前に受信したシステム情報に含まれるサービス関連情報に基づいて、期待のサービスが接続セルによって提供されるかどうかを特定するように構成される。
【００２９】
さらに他の側面に関しては、独立請求項、並びに以下の説明および図面から明らかにされる。
【図面の簡単な説明】
【００３０】
以下に添付図面を参照しながら、実施形態について説明する。
【図１】図１はＲＡＮの一実施形態を示す。
【図２】図２は基地局およびユーザ機器によって行われる移動体通信方法の一実施形態を示す。
【図３】図３は基地局およびユーザ機器によって行われる移動体通信方法の他の実施形態を示す。
【図４】図４は基地局およびユーザ機器によって行われる移動体通信方法の他の実施形態を示す。
【図５】図５は基地局およびユーザ機器によって行われる移動体通信方法の他の実施形態を示す。
【図６】図６は基地局およびユーザ機器によって行われる移動体通信方法の他の実施形態を示す。
【図７】図７は基地局およびユーザ機器によって行われる移動体通信方法の他の実施形態を示す。
【図８】図８は基地局およびユーザ機器によって行われる移動体通信方法の他の実施形態を示す。
【図９】図９は基地局およびユーザ機器を実施するために用いることができる多目的コンピュータの一実施形態を示す。
【発明を実施するための形態】
【００３１】
図１を参照して実施形態についての詳細な説明を行う前に、一般的な説明を行う。
【００３２】
冒頭に記載したように、一般的に移動体通信システムでは、いくつかのジェネレーションが知られている。現在、第５世代（「５Ｇ」）が開発中であり、２０２０年には実用化される見込みである。
【００３３】
上記のように、５Ｇの要件を提供する候補の１つとして、いわゆるＬｏｎｇ  Ｔｅｒｍ  Ｅｖｏｌｕｔｉｏｎ（「ＬＴＥ」）がある。また、５Ｇの要件を満たす他の候補として、Ｎｅｗ  Ｒａｄｉｏ（ＮＲ）Ａｃｃｅｓｓ  Ｔｅｃｈｎｏｌｏｇｙ  Ｓｙｓｔｅｍ（ＮＲ）と呼ばれるものがある。ＬＴＥが前世代の移動体通信技術に基づいていたように、ＮＲはＬＴＥ技術に基づくことができる。
【００３４】
将来的には、３ＧＰＰは、５Ｇの技術的要件を満たすことができるように、ＬＴＥ−Ａの開発をさらに進める計画である。
【００３５】
５Ｇシステムは、それぞれＬＴＥまたはＬＴＥ−Ａに基づくので、５Ｇ技術の特定の要件は基本的に、ＬＴＥおよびＬＴＥ−Ａ標準文書で既に定義されている特徴および方法を基に扱われ、これによりいくつかの実施形態も、このような技術に基づき得ることが想定される。
【００３６】
また、上述したように、５Ｇ技術は、いわゆる「仮想セル」または「ローカルセル」などのコンセプトを可能にする。これらのコンセプトはいくつかの実施形態において実施され得る。また、制御プレーンとユーザプレーンとの間の論理的分離を可能にし、マクロまたはアンカー基地局は、制御プレーンのリンクを提供し得る。
【００３７】
また、セル（例えばノーマルセルや仮想セルなど）は、Ｄ２Ｄ（ｄｅｖｉｃｅ−ｔｏ−ｄｅｖｉｃｅ）通信やＭＢＭＳ（ｍｕｌｔｉｍｅｄｉａ  ｂｒｏａｄｃａｓｔ  ｍｕｌｔｉｃａｓｔ  ｓｅｒｖｉｃｅ）、ｅＭＢＢ（ｅｎｈａｎｃｅｄ  ｍｏｂｉｌｅ  ｂｒｏａｄｂａｎｄ）、ＵＲＬＬＣ（ｕｌｔｒａ−ｒｅｌｉａｂｌｅ  ｌｏｗ−ｌａｔｅｎｃｙ  ｃｏｍｍｕｎｉｃａｔｉｏｎ）などの１以上の所定のサービスを提供するように構成されることが知られている。これはいくつかの実施形態において実施される。
【００３８】
上述したように、セルによってサポートされるサービスは多様であり、将来新たなサービスが導入される可能性があることが想定されており、冒頭で説明したシグナリングサービスのためのアプローチが改善される可能性があると認識されている。
【００３９】
また、ＮＲにおいてはオンデマンドシステム情報（ＳＩ）が導入されることが知られており、サービス関連ＳＩが必ずしもブロードキャスト送信されるわけではないということが想定されている。３ＧＰＰ合意によれば、システム情報ブロック（ＳＩＢ）が常にブロードキャスト送信されるか、またはオンデマンドで（要求に応じて）送信されるかを示すビットマップが導入される可能性があると考えられる。しかしながら、例えば関連サービスがサポートされていないといった理由で、ＵＥは、この情報に基づいて、関連ＳＩＢがオンデマンドで提供されるか、または提供できないかどうかを知ることができないということが認識されている。
【００４０】
したがって、以下でも説明するように、いくつかの実施形態では追加のサービスに関するインジケーションが導入される。いくつかの実施形態では、このインジケーションは前方互換性があるので、シグナリングコストを節約することが可能になる。
【００４１】
以下で詳述するいくつかの実施形態では、システム情報は制御情報の一種である。現在のＬＴＥにおいて、システム情報はいわゆるシステム情報ブロック（ＳＩＢ）においてブロードキャスト送信される。例えば、システム情報ブロック（ＳＩＢ）として、ＭＩＢ，ＳＩＢ１，ＳＩＢ２が挙げられる。
マスタ情報ブロック（ＭＩＢ）：ＬＴＥセルの物理層情報。例えば、送信帯域構成、システムフレーム番号など。
ＳＩＢ１：ＵＥのＬＴＥセルへのアクセスが許可されているかどうかを示す情報であって、他のＳＩＢのスケジューリングを定義し、セルＩＤやＳＩＢマッピング情報などを有する。
ＳＩＢ２：共通チャネルおよび共有チャネル情報。
【００４２】
例えば、一般的に知られるＬＴＥのＳＩＢ４からＳＩＢ１９などの他のブロックも存在する。
【００４３】
いくつかの実施形態では、ＬＴＥ−Ａ、ＮＲまたは次世代システムについても、そのような種類のシステム情報が（少なくともアナログで）実装されると想定される。
【００４４】
いくつかの実施形態では、最小システム情報が使用される。最小システム情報は基本的に、セルアクセス情報、セル選択情報、他のＳＩ（例えば最小ＳＩ以外のすべてのＳＩ）を取得するための情報などの基本情報（のみ）を含み得る。
【００４５】
一般的に、いくつかの実施形態において、基地局はＬＴＥ（ＬＴＥ−Ａ）の原理に基づいていてもよいし、および／または、基地局は前述のようにＮＲ  ＲＡＴに基づいてもよい。基地局は例えば、ＬＴＥの既知のｅＮｏｄｅＢに基づいていてもよい。あるいは、上述のＮＲ  ｅＮｏｄｅＢに基づいていてもよい（次世代の基地局をｇＮＢと称し得る）。いくつかの実施形態において、ユーザ機器とは、例えば移動体通信インターフェースを含む携帯電話、スマートフォン、コンピュータ、タブレット、タブレットＰＣなどや、移動体通信インターフェースを有するホットスポットデバイスなどの、例えばＬＴＥやＮＲを介して移動体通信を行うことができる他のデバイスなどである。
【００４６】
いくつかの実施形態は、少なくとも１のユーザ機器と通信を行うように構成される回路を含む移動体通信システム用基地局に関する。この回路はさらに、セルによって提供される少なくとも１のサービスを示すビットマップを含む最小システム情報を送信するように構成される。
【００４７】
このため、セルがサポートするサービスは、例えばＭＩＢやＳＩＢ１などの最小システム情報においてビットマップ形式で示されており、例えば、ユーザ機器は、セルにアクセス可能かどうかの判断に応じて、この情報を利用することができる。
【００４８】
このビットマップは複数のビットを含み得る（例えば１６，３２，６４などの８の倍数）。各ビット（またはいくつかの実施形態においては異なる数）はセルによって提供される関連サービス（例えばＤ２Ｄ、ＭＢＭＳ、ｅＭＢＢ、ＵＲＬＬＳなど）を示す。
【００４９】
また、ビットマップは複数のビットを含み、各ビットは、セルによって提供される関連サービスグループ（またはサブセット）を示してもよい。このようなグループ（またはサブセット）は例えば特定のサービスを参照するほかのグループやＤ２Ｄサービスを含み得る。これにより、ビットマップのさらなる圧縮が可能になる。
【００５０】
また、ビットマップは、サービスベースのセルの選択において考慮するように指定されるサービスのサブセットを示し得る。例えば、３ＧＰＰ規格は、ＭＢＭＳ、Ｖ２Ｘ、ＵＲＬＬＣサービスについてのみ、このメカニズムが適用されると定義している。このような制約のため、いくつかの実施形態においてはさらなるビットマップの圧縮が可能となる。
【００５１】
いくつかの実施形態では、これらを組み合わせて用いてもよい。例えば、ビットマップの第１の領域は、サポートされるサービスを直接示し、ビットマップの別の領域は、サービスグループを示すために確保される。
【００５２】
いくつかの実施形態は、少なくとも１の基地局と通信を行うように構成される回路を含む移動体通信システム用ユーザ機器に関する。この回路はさらに、セルによって提供される少なくとも１のサービスを示すビットマップを含む最小システム情報を受信し、最小システム情報に含まれるビットマップに基づいてセルを選択するように構成される。
【００５３】
このため、ユーザ機器は事前に、つまりセルに接続する前に、そのセルが期待のサービスを提供するかどうかを判断し得る。
【００５４】
上述のように、ビットマップは複数のビットを含む可能性があり、各ビットは、セルによって提供される関連サービスを示す。または、ビットマップは複数のビットを含む可能性があり、各ビットは、セルによって提供される関連サービスグループを示す。
【００５５】
いくつかの実施形態は、少なくとも１のユーザ機器と通信を行うように構成される回路を含む移動体通信システム用基地局に関する。この回路はさらに、セルによって提供される少なくとも１のサービスを示すスケジューリング情報を送信するように構成される。
【００５６】
このため、システム情報の送信を普段スケジュールする必要があるか否かにかかわらず、スケジューリング情報は、セルによって提供される少なくとも１のサービスを示す情報を常に含み得る。これは、ユーザ機器がスケジューリング情報のみに基づいて、セルが期待のサービスを提供するかどうかを学習し得ること意味する。
【００５７】
セルによってサポートされるサービスは、（このサービスに対応する）ＳＩＢ、例えば、ＳＩＢ１におけるスケジューリング情報において示され得る。
【００５８】
このスケジューリング情報はシステム情報ブロック用のスケジューリング情報を含み得る。このシステム情報ブロックは、セルによって提供される少なくとも１のサービス用のサービス関連情報（少なくとも１のサービスに対応するＳＩＢ）を含む。
【００５９】
いくつかの実施形態は、少なくとも１の基地局と通信を行うように構成される回路を含む移動体通信システム用ユーザ機器に関する。この回路はさらに、セルによって提供される少なくとも１のサービスを示すスケジューリング情報を受信し、上記のように受信したスケジューリング情報に基づいてセルを選択すると特定するように構成される。
【００６０】
このため、ユーザ機器は、スケジューリング情報に基づいて、セルが期待のサービスを提供するかどうかをあらかじめ判断することができる。つまり、セルにアクセスするかどうかを特定することができる。
【００６１】
上記のように、このスケジューリング情報はシステム情報ブロック用のスケジューリング情報を含み得る。このシステム情報ブロックは、セルによって提供される少なくとも１のサービス用のサービス関連情報を含む。
【００６２】
いくつかの実施形態は、少なくとも１のユーザ機器と通信を行うように構成される回路を含む移動体通信システム用基地局に関する。この回路はさらに、セルがサービス専用セルであることを示すマスタ情報ブロック内の情報を送信するように構成される。
【００６３】
このため、例えば、セルがサービス専用セル、すなわち少なくとも１の特定のサービスを提供し得るセルであるという情報に基づいて、ユーザ機器は例えば、ユーザ機器が特定のサービスを必要とするため、サービスに関するより多くの情報を欲しているかどうかを判断ることができる。
【００６４】
この情報は、セルがサービス専用セルであることを示すビットを含み得る。
【００６５】
回路はさらに、サービス専用セルによって提供される少なくとも１のサービスを示すビットマップを含むシステム情報を送信するように構成され得る（このビットマップはさらに上記のような特徴を有し得る）。
【００６６】
このビットマップは、サービス専用セルと関連付けられているシステム情報ブロックに含まれていてもよい。
【００６７】
このビットマップはスケジューリング情報（例えばＳＩＢ１）に含まれていてもよい。
【００６８】
このため、いくつかの実施形態では、セルがサービス専用セルであるかどうかを示すＭＩＢは１ビット（例えばサービス専用ビット）を含む。そして、ビットマップは例えば、サポートされているサービスを示すＳＩＢ１にさらに含まれるか、またはサポートされているサービスは上述のようにＳＩＢ１の（このサービスに対応する）ＳＩＢスケジューリング情報によって示される。
【００６９】
いくつかの実施形態は、少なくとも１の基地局と通信を行うように構成される回路を含む移動体通信システム用ユーザ機器に関する。この回路はさらに、セルがサービス専用セルであることを示すマスタ情報ブロック内の情報を受信し、受信した情報に基づいてサービス専用セルにサポートされている少なくとも１のサービスを特定するように構成される。
【００７０】
上記のように、この情報は、セルがサービス専用セルであることを示すビットを含み得る。上記のように、回路はさらに、サービス専用セルによって提供される少なくとも１のサービスを示すビットマップを含むシステム情報を受信するように構成され得る。少なくとも１のサービスは、上記のように、ビットマップに基づいて特定され得る。上記のように、このビットマップは、サービス専用セルと関連付けられているシステム情報ブロックに含まれていてもよい。このビットマップはスケジューリング情報に含まれていてもよい。
【００７１】
いくつかの実施形態は、少なくとも１のユーザ機器と通信を行うように構成される回路を含む移動体通信システム用基地局に関する。この回路はさらに、セルがサービス専用セルであることを示す少なくとも１のビットを含む最小システム情報を送信し、オンデマンドシステム情報内のサービス関連情報を送信するように構成される。
【００７２】
例えば、１のビット（例えばサービス専用ビット）は、セルがサービス専用セルであるかどうかを示す最小ＳＩ（例えばＭＩＢまたはＳＩＢ１）に含まれる。そして、サポートされるサービスおよび／または（もしあれば）サービス特有の構成（例えばＲＡＣＨリソース、チャネル／サブフレーム構成）が、ユーザ機器によって送信されるリクエストに従って、オンデマンドＳＩＢを介して提供される。
【００７３】
いくつかの実施形態は、少なくとも１の基地局と通信を行うように構成される回路を含む移動体通信システム用ユーザ機器に関する。この回路はさらに、セルがサービス専用セルであることを示す少なくとも１のビットを含む最小システム情報を受信し、上記のように、システム情報に含まれる少なくとも１のビットに基づいて、サービス関連情報を含むオンデマンド最小システム情報を要求するように構成される。
【００７４】
このため、ユーザ機器は最初に、セルがサービス専用セルであることを示す少なくとも１のビットを含む最小システム情報に基づいて、セルが普段サービスを提供しているかどうかをチェックすることができる。サービス専用セルとして識別された場合には、オンデマンドシステム情報リクエストに基づいてさらなる情報をレシーバに要求することができる。そして、このさらなる情報は例えば、対応するシステム情報ブロックにおいて送信され得る。
【００７５】
いくつかの実施形態は、少なくとも１の基地局と通信を行うように構成される回路を含む移動体通信システム用ユーザ機器に関する。この回路はさらに、サービスに基づいて通信周波数を選択し、選択された通信周波数を用いてセルへのキャンプオンを行い、（本明細書に記載のように）サービス関連情報を含むシステム情報を受信し、サービス関連情報に基づいて、キャンプオンを行ったセルが期待のサービスを提供するかどうかを特定するように構成される。
【００７６】
上記のように、セルによってサポートされるサービスは、例えばＭＩＢ、ＳＩＢ、ＳＩＢ１、スケジューリング情報、最小システム情報などのシステム情報によって示され得る。
【００７７】
通常、いくつかの実施形態においては、例えば、ＲＡＮ２合意に従い、特定のサービスが特定の周波数で提供され得るので、ユーザ機器はサービスに基づいて周波数の優先順位を決めることが可能である。また、いくつかの実施形態では、ユーザ機器は対応する周波数を有し最も強い信号を有するセルへのキャンプオンを行う（つまり、「最良」のセルが選択される）。
【００７８】
従って、回路はさらに、キャンプオンを行ったセルが期待のサービスを提供しないと特定された際に、他のセルを選択するように構成され得る。
【００７９】
また、いくつかの実施形態において、回路はさらにサービス関連情報に基づいて、ランダムアクセスプリアンブルおよび／または物理チャネルリソースを特定するように構成され得る。このため、いくつかの実施形態においては、ユーザ機器が特定のサービスに関連付けられたランダムアクセスプリアンブルを特定することができるように、特定のサービスと関連付けられたランダムアクセスプリアンブルとの間のマッピングが行われる。
【００８０】
いくつかの実施形態は、少なくとも１の基地局と通信を行うように構成される回路を含む移動体通信システム用ユーザ機器に関する。この回路はさらに、（本明細書に記載のように）サービス関連情報を含むシステム情報を受信し、サービス関連情報に基づいてセルを選択（またはアクセス）するように構成される。
【００８１】
このため、ユーザ機器が特定のセルにキャンプオンを行う前に、セルが期待のサービスを提供しているかどうかがサービス関連情報に基づいて特定され得る。
【００８２】
いくつかの実施形態においては複数のセルが存在し、複数のセルのうち、最も強い信号を提供し、かつ期待のサービスを提供するセルが選択され得る。
【００８３】
上記のように、サービス関連情報はマスタ情報ブロックまたはシステム情報ブロックに含まれ得る。
【００８４】
いくつかの実施形態においては、ＵＥは、たとえキャンプオンするセルが規制（ｂａｒｒｅｄ）されていなくても、次善のセルを選ぶこともできる。
【００８５】
また、いくつかの実施形態においては、どのサービスがＩＤＬＥモードでの接続を要求するかをＵＥが確認できない場合があり得る。そのため、ＵＥはセルへのアクセスを試行している間に別の周波数でセルの再選択を行うことが可能であり、アクセスクラス規制がそのサービスに対してアクティブとすることが可能である。
【００８６】
いくつかの実施形態は、少なくとも１の基地局と通信を行うように構成される回路を含む移動体通信システム用ユーザ機器に関する。この回路はさらに、アイドル状態または非アクティブ状態から接続状態へ移行すると、接続状態へ移行する前に受信したシステム情報に含まれるサービス関連情報に基づいて、期待のサービスが接続セルによって提供されるかどうかを特定するように構成される。
【００８７】
例えばアイドル状態はＲＲＣ＿ＩＤＬＥ状態、非アクティブ状態とはＲＲＣ＿ＩＮＡＣＴＩＶＥ状態、接続状態とはＲＲＣ＿ＣＯＮＮＥＣＴＥＤ状態であり得る（ＲＲＣとは無線リソース制御のこと）。
【００８８】
システム情報は、例えば、セルへのアクセスの際（または接続状態になる前、または非アクティブまたはアイドル状態になる前の別の時点）に受信され、接続終了後にアイドル状態または非アクティブ状態が選択され得る。
【００８９】
回路はさらに、他のセルによって期待のサービスが提供される際には、他のセルから受信したサービス関連情報に基づいて他のセルを選択するように構成され得る。例えば、ユーザ機器上で動作するアプリケーションが特定の新たなサービスを要求する場合、ユーザ機器は、アイドル状態から直前のサービス提供セルへの接続状態に戻る前に、予め記憶されている（または、いくつかの実施形態においては、現在受信している）システム情報に基づいて、セルが要求したサービスを提供しているかどうかをチェックする。要求したサービスが提供されないことが判明した場合、ユーザ機器は、期待の（要求された）サービスを提供する別のセルを選択し得る。
【００９０】
回路はさらに、他のセルに対してレジュームリクエストを送信するように構成され得る。
【００９１】
図１に戻り、ＮＲ無線ネットワークＲＡＮ１の典型例について説明する。ＲＡＮ１はマクロセル２を有する。マクロセル２は、ＮＲ  ｅＮｏｄｅＢ３とＮＲセル４により確立されている。ＮＲセル４はＮＲ  ｅＮｏｄｅＢ５により確立されている。この例では、ＮＲ  ｅＮｏｄｅＢ３はアンカー基地局として機能し、本実施形態ではスレーブＮＲ  ｅＮｏｄｅＢ５によって提供されるスレーブセルであるＮＲセル４を制御することも可能であるが、本開示はこれに限定されるものではない。例えば、ＮＲ  ｅＮｏｄｅＢ３は、制御プレーン通信を提供し得る。また、ＮＲ  ｅＮｏｄｅＢ５は、ユーザプレーン通信を提供し得る。また、本開示はこれに限定されるものではない。いくつかの実施形態では、ＮＲ  ｅＮｏｄｅＢ３およびＮＲ  ｅＮｏｄｅＢ５は、システム情報を送信し得る。他の実施形態では、例えば、ＮＲ  ｅＮｏｄｅＢ３および／またはＮＲ  ｅＮｏｄｅＢ５は、最小システム情報を送信する。
【００９２】
ユーザ機器ＵＥ６は、ＮＲ  ｅＮｏｄｅＢ３と通信可能であり、ユーザ機器ＵＥ６がＮＲセル４内にある限り、ＮＲ  ｅＮｏｄｅＢ５とも通信可能である。いくつかの実施形態では、セル２および４などの各セルは、特定のサービスを提供し得る。この特定のサービスは、上述したように、特定の周波数に関連付けられ得る。
【００９３】
図２は、移動体通信方法２０の一実施形態を示している。この方法は本明細書に記載するような基地局およびユーザ機器によって、例えば図１を参照して本明細書に記載するようなＲＡＮシステム内で、実施され得る。
【００９４】
ステップ２１において、基地局（例えばＮＲ  ｅＮｏｄｅＢ３および／または５）は、各セル（例えばセル２または４）がサポート（提供）するサービスを示す最小ＳＩ（例えばＭＩＢやＳＩＢ１）のビットマップをユーザ機器（例えばＵＥ６）に送信（例えばブロードキャスト送信）する。ＵＥは、ステップ２２において最小システム情報を受信する。
【００９５】
この場合、本実施形態において、十分に長いインジケーション（例えば３２ビット）が、前方互換性のためにビットマップにおいて確保される。ビットマップの各ビットは、対応するサービス（Ｄ２Ｄ、ＭＢＭＳ、ｅＢＭＢ、ＵＲＬＬＣなど）を表す。このサービスはサポートされていても、いなくてもよい（サービスは、いくつかの実施形態ではネットワークスライスも含む。
【００９６】
上述のように、他の実施形態では、規定サービス（スライス）番号マッピングが実装される。例えば、「１」はＤ２Ｄサービスを意味し、「２」はＭＢＭＳサービスを意味する、などである。
【００９７】
さらなる最適化の例として、いくつかの実施形態では、サービスのサブセットのみが最小ＳＩ内に示され、このサブセットはセルがサポートできるかどうかを示す。これにより、上述のようにビットマップをさらに圧縮することができる。
【００９８】
ステップ２３において、ＵＥは最小システム情報に含まれるビットマップに基づいてセルを選択すると決める。すなわち、セルが期待のサービスを提供する場合、ＵＥはそのセルを選択してアクセスする。
【００９９】
図３は、移動体通信方法３０の他の実施形態を示している。この方法は本明細書に記載するような基地局およびユーザ機器によって、例えば図１を参照して本明細書に記載するようなＲＡＮシステム内で、実施され得る。
【０１００】
ステップ３１において、基地局（例えばＮＲ  ｅＮｏｄｅＢ３および／または５）は、ＳＩＢ１の（そのサービスに対応する）ＳＩＢスケジューリング情報におけるセル（例えばセル２または４）によってサポートされるサービスのインジケーションをユーザ機器（例えばＵＥ６）に送信（例えばブロードキャスト送信）する。ＵＥはステップ３２においてＳＩＢを受信する。
【０１０１】
この場合、例えば図２の実施形態で必要とされる最小ＳＩにおける追加のビットマップは必要とされない。サービス関連ＳＩＢがスケジュールされるかどうかに関わらず、そのスケジュール情報はＳＩＢ１に含まれるため、ＵＥによるチェックを行うことができる。この情報により、ＵＥは対応するサービスがサポートされるということを想定することができ、ステップ３３において対応するセルを選択すると決めることができる。
【０１０２】
図４は、移動体通信方法４０の他の実施形態を示している。この方法は本明細書に記載するような基地局およびユーザ機器によって、例えば図１を参照して本明細書に記載するようなＲＡＮシステム内で、実施され得る。
【０１０３】
ステップ４１において、基地局（例えばＮＲ  ｅＮｏｄｅＢ３および／または５）は、セル（セル２または４）がサービス専用セルであることを示すインジケーションをＭＩＢにおいてユーザ機器（例えばＵＥ６）に送信（ブロードキャスト送信）する。ＵＥはステップ４２においてＭＩＢを受信する。
【０１０４】
本実施形態では、セルがサービス専用セルであるかどうかを示すＭＩＢが１のビット（サービス専用ビット）を含む。
【０１０５】
そして、ビットマップは、サポートされているサービスを示すＳＩＢ１にさらに含まれるか、またはサポートされているサービスはＳＩＢ１の（このサービスに対応する）ＳＩＢスケジューリング情報によって示される。また、このＳＩＢはステップ４４においてＵＥに送信され、ステップ４５においてＵＥによって受信される。
【０１０６】
サービスセンシティブＵＥの場合、ＭＩＢ内のサービス専用ビットにより、ＵＥはステップ４３において、期待のサービスがサポートされるかどうかをチェックする必要があるかどうかを判断することができる。これは、セルがサービス専用セルである場合、特定のサービスのみを提供するからである。サービスノンセンシティブＵＥの場合、ステップ４５においてＳＩＢを受信するとしても、ＳＩＢ１内の対応する情報を読み込む必要はない。
【０１０７】
ＵＥは、セルがサービス専用セルであると特定した場合、ステップ４６において、ＳＩＢ１の対応する情報を読み込むことにより、期待のサービスがサポートされているかどうかをチェックする。
【０１０８】
別の実施形態においては、ＭＩＢに含まれる１のビット（サービス専用ビット）について、合意がなされている既知のＩＦＲＩ（イントラ周波数再選択インジケータ）ビットが再利用される。ＲＡＮ２＃９９ｂミーティングにおいて、以下のような合意が成立している。
１．（ＲＡＮ１  ＬＳの「ＵＥがセルへキャンプオンできないことを迅速に識別するための情報」に対応する）「ｃｅｌｌＢａｒｒｅｄ」ＩＥがＭＩＢ内にあり、これはＬＴＥ「ｃｅｌｌＢａｒｒｅｄ」ＩＥと同じ効果を発揮する。
規制（ｂａｒｒｉｎｇ）タイマのＦＦＳ継続時間。
２．「ｉｎｔｒａＦｒｅｑＲｅｓｅｌｅｃｔｉｏｎ」ＩＥがＭＩＢにあり、これはＬＴＥ「ｉｎｔｒａＦｒｅｑＲｅｓｅｌｅｃｔｉｏｎ」ＩＥと同じ効果を発揮する
ＦＦＳは、追加の「ｃｅｌｌＢａｒｅｄ」ＩＥおよび「ｉｎｔｒａＦｒｅｑＲｅｓｅｌｅｃｔｉｏｎ」ＩＥのシグナリングがＮＲ  ＳＩＢ１において行われるかどうか
【０１０９】
現行のＲＲＣ  ｓｐｅｃ  ３ＧＰＰ  ＴＳ  ３６．３３１（３ＧＰＰ  ＴＳ  ３６．３３１  Ｖ１４．４．０（２０１７−０９），"３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  １４）"）によると、ｃｅｌｌＢａｒｒｅｄビットとＩＦＲＩビットは相関性がある。
−−ｃｅｌｌＢａｒｒｅｄがｂａｒｒｅｄ（規制）に設定されている場合、ｉｎｔｅｒＦｒｅｑＲｅｓｅｌｅｃｔｉｏｎが許可されないことを示す。
ｉｎｔｒａＦｒｅｑＲｅｓｅｌｅｃｔｉｏｎ  ＥＮＵＭＥＲＡＴＥＤ  ｛ａｌｌｏｗｅｄ，  ｎｏｔＡｌｌｏｗｅｄ｝，
【０１１０】
このため、ｃｅｌｌＢａｒｒｅｄビットがｂａｒｒｅｄ（規制）に設定されている場合にのみ、ＵＥはＩＦＲＩビットのチェックを行う。
【０１１１】
本実施形態において、これらの２つのビットは分離している。
【０１１２】
例えば、ｃｅｌｌＢａｒｒｅｄビットが「ｎｏｔ−ｂａｒｒｅｄ」に設定され、ＩＦＲＩビットがａｌｌｏｗｅｄ（許可）に設定され、サポートされるサービスがＳＩＢ１に含まれる。
【０１１３】
ｃｅｌｌＢａｒｒｅｄビットが「ｎｏｔ  ｂａｒｒｅｄ」に設定されているとしても、ＵＥはＳＩＢ１の情報に従って対応するサービスがサポートされているかどうかをチェックしなければならない。そうでなければ、例えば期待のサービスを提供できるならば、同じ周波数で次善のセルを再選択する。
【０１１４】
図５は、移動体通信方法５０の他の実施形態を示している。この方法は本明細書に記載するような基地局およびユーザ機器によって、例えば図１を参照して本明細書に記載するようなＲＡＮシステム内で、実施され得る。
【０１１５】
ステップ５１において、基地局（例えばＮＲ  ｅＮｏｄｅＢ３および／または５）は、セル（セル２または４）がサービス専用セルであることを示すインジケーションを１ビット形式で最小ＳＩ（例えばＭＩＢやＳＩＢ１）においてユーザ機器（例えばＵＥ６）に送信（ブロードキャスト送信）する。ＵＥはステップ５２において最小ＳＩを受信する。
【０１１６】
次に、ＲＡＣＨリソース、チャネル／サブフレーム構成などのサポートされるサービスおよび／または（もしあれば）サービス特有の構成が、ＵＥのリクエストに応じてオンデマンドＳＩＢを介して提供される。
【０１１７】
このため、サービスセンシティブＵＥは、最小ＳＩ内のサービス専用ビットに基づいて、ステップ５３においてオンデマンドサービス関連ＳＩＢをさらに要求する必要があるかどうかを判断することができる。このオンデマンドＳＩリクエストは、ステップ５４で基地局によって受信され、基地局はこれに応じてステップ５５においてオンデマンドＳＩＢを送信し、続いてこのオンデマンドＳＩＢはステップ５６においてＵＥによって受信される。
【０１１８】
これに対して、サービスノンセンシティブＵＥは通常のランダムアクセスを行う。本実施形態において、最小ＳＩにおいて追加のビットマップは不要である。
【０１１９】
上記のように、本実施形態においても（他の実施形態と同様に）、サービスはＮＲのスライスを参照することも可能である。
【０１２０】
図６は、移動体通信方法６０の他の実施形態を示している。この方法は本明細書に記載するような基地局およびユーザ機器によって、例えば図１を参照して本明細書に記載するようなＲＡＮシステム内で、実施され得る。
【０１２１】
上記のように、ＲＡＮ２合意によれば、ＵＥは、サービスに基づいて周波数の優先順位を決定することができる。このため、ＵＥはステップ６１において周波数を選択し、そしてステップ６２において、選択された周波数において最良のセル、例えば、最も強い信号を提供するセルへのキャンプオンを試みる。
【０１２２】
そして、ＵＥはさらにステップ６４において、ステップ６３で受信したシステム情報内のインジケーションに基づいて、（ＵＥがサービスセンシティブＵＥである場合に）期待のサービスがこのセルでサポートされているかどうかをチェック（特定）する。システム情報内のサービス情報またはインジケーションは、図２から５のいずれかの実施形態などの、本明細書に記載されるいずれかの実施形態に基づき得る。
【０１２３】
期待のサービスがサポートされていないとＵＥが特定した場合、ＵＥは、それに応じて、例えばステップ６５において次善のセルを再選択するか、またはサービスに基づいて優先順位が２位の周波数を選択する（例えば、ステップ６１に戻るか、ステップ６５において別の周波数を選択する）。
【０１２４】
このため、ＳＩにおけるサービス情報またはインジケーションの受信に基づいて、いくつかの実施形態において、以下の効果が発揮され得る。
【０１２５】
一定の周波数によって提供されるサービスは変化し得る。このため、ＵＥはキャリア周波数サービス情報を記憶し、次のキャンプオンのためにそれを使用することができるが、この情報は古くなってしまう可能性がある。さらに、例えば、新しいセルや、セルのオンオフ、モバイルセルなどを用いることによって特定の周波数で提供されるサービスがさらに含まれてもよい。その結果、最良の無線品質を有するセルは、必ずしも期待のサービスを提供することができるわけではない場合がある。この場合、ＳＩ内の現在またはリアルタイムサービス関連情報をさらにチェックすることが有益であり得る。
【０１２６】
また、ＵＥは、例えば、ランダムアクセスプリアンブルが分離され、サービスに応じたマッピングが実施される場合、ランダムアクセスプリアンブルを送信するかどうか、および／またはどのランダムアクセスプリアンブルを送信するかをステップ６６において判断（特定）することができる。
【０１２７】
図７は、移動体通信方法７０の他の実施形態を示している。この方法は本明細書に記載するような基地局およびユーザ機器によって、例えば図１を参照して本明細書に記載するようなＲＡＮシステム内で、実施され得る。
【０１２８】
ＵＥは、１つのセルへキャンプオンを行うと判断する前に、ステップ７１においてＳＩの受信と読み込みを行い、ＳＩに含まれるサービス情報またはインジケーションに基づいて、期待のサービスがサポートされているかどうかを確認する。システム情報内のサービス情報またはインジケーションは、図２から５のいずれかの実施形態などの、本明細書に記載されるいずれかの実施形態に基づき得る。１つのセルがシステム情報内の隣接セルのサービス関連情報を提供できる場合、ＵＥはどのセルがキャンプオンに最適か判断することができる。
【０１２９】
次に、ステップ７２において、ＵＥは期待のサービスをサポートできるセルの中から最良のセルを選択する。本実施形態において、特にＭＩＢ／ＳＩＢ１においてサービス関連情報を提供することが有用であり得る。これは、ＵＥがサービス関連情報をさらにチェックするために他のＳＩＢを読み込む必要がなく、セルにアクセスする前に適切なセルを直接選択することができ、その後、すなわちセルにアクセスした後にサービスが提供されていないと知ることを避けることができるためである。
【０１３０】
図８は、移動体通信方法８０の他の実施形態を示している。この方法は本明細書に記載するような基地局およびユーザ機器によって、例えば図１を参照して本明細書に記載するようなＲＡＮシステム内で、実施され得る。
【０１３１】
上記の説明は、ＲＲＣ＿ＩＤＬＥ状態などのアイドル状態、および／またはＲＲＣ＿ＩＮＡＣＴＩＶＥ状態などの非アクティブ状態のＵＥにも適用可能である。
【０１３２】
ＵＥ８１は、まずアンカーｇＮＢ８２によって確立されたセルの周波数Ｆ１においてキャンプオンを行う。ＵＥ８１は、他のｇＮＢ８３のカバレッジ（セル）内にある。
【０１３３】
ステップ８４において、ＵＥ８１は通信が終了するとＲＲＣ＿ＩＮＡＣＴＩＶＥ状態となる。
【０１３４】
ＲＲＣ＿ＩＮＡＣＴＩＶＥ状態にあるＵＥ８１は、例えば、ある特定のサービスを必要とする可能性のある新しいアプリケーションが開始されるため、まずアンカーｇＮＢ８２において、アプリケーション層からＲＲＣ＿ＣＯＮＮＥＣＴＥＤ状態に移行するようにトリガされ得る。
【０１３５】
以前と同様に、ＵＥ８１は、セル再選択が必要かどうかを判断するため、ＳＩ内で提供されるサービスをチェックすることができる。このため、ステップ８６において、ＵＥ８１はまず、ｇＮＢ８２から受信した、以前に記憶されたＳＩのＳＩにおけるサービスインジケーションをチェックし、それが接続されているセルが期待のサービスを提供することができないことということを発見する。このシステム情報におけるサービス情報またはインジケーションは、図２から５のいずれかに示す実施形態など、本明細書に記載された実施形態のいずれかに基づき得る。
【０１３６】
現在のセルが必要なサービスをサポートしていないため、８１ＵＥはステップ８７において、隣接するｇＮＢからステップ８８において受信したＳＩのチェックを開始し、ｇＮＢ８３がサービス提供可能だということを発見する。ＵＥ８１は、周波数Ｆ２においてｇＮＢ８３によって確立された最良のセルを選択し、ステップ８９において、ｇＮＢ８３にＲＲＣレジュームリクエストを送信する。ステップ９０において、ｇＮＢ８３はアンカーｇＮＢ８２にＵＥコンテキストを要求し、その後ステップ９１においてＵＥ８１にレジューム応答を送信する。
【０１３７】
このため、いくつかの実施形態では、ＳＩに含まれるサポートサービスインジケーションを用いて、ＵＥは、セルにアクセスするかどうかを判断することができる。いくつかの実施形態においては、サービスインジケーションはシグナリングコストを削減するようにデザインされる。
【０１３８】
以下では、汎用コンピュータ１３０の一実施形態について図９を参照しながら説明する。コンピュータ１３０は、基本的に本明細書において述べた各種の基地局、ｎｅｗ  ｒａｄｉｏ基地局、送受信ポイント、またはユーザ機器として機能するように構成されることができる。コンピュータは構成要素１３１から１４０を有し、これらは、本明細書において述べた基地局およびユーザ機器の回路のうちずれか１つの回路を形成することができる。
【０１３９】
本明細書に記載の方法を実施するためのソフトウェア、ファームウエア、プログラムなどを用いた実施形態がコンピュータ１３０にインストールされ、具体的な実施形態に適合するように構成され得る。
【０１４０】
コンピュータ１３０は中央処理装置（ＣＰＵ）１３１を有する。ＣＰＵ１３１は例えばプログラムに応じて本明細書に記載された様々な手順や方法を実行する。このプログラムは、ｒｅａｄ−ｏｎｌｙ  ｍｅｍｏｒｙ（ＲＯＭ）１３２に記憶されたり、記憶部１３７に記憶されｒａｎｄｏｍ  ａｃｃｅｓｓ  ｍｅｍｏｒｙ（ＲＡＭ）１３３にロードされたり、各種ドライブ１３９などに挿入可能な媒体１４０に記憶されたりする。
【０１４１】
ＣＰＵ１３１、ＲＯＭ１３２、およびＲＡＭ１３３は、バス１４１を介して接続されている。また、このバス１４１には入出力インターフェース１３４が接続されている。ＣＰＵ、メモリおよび記憶部の数は単に例示的なものであり、コンピュータ１３０は、それが基地局またはユーザ機器として機能するときに生じる特定の要件を満たすように適用および構成することができることを当業者は理解される。
【０１４２】
入出力インターフェース１３４には、いくつかの構成要素が接続される。この構成要素は、入力部１３５、出力部１３６、記憶部１３７、通信インターフェース１３８、ドライブ１３９を含む。ドライブ１３９には媒体１４０（コンパクトディスク、デジタルビデオディスク、コンパクトフラッシュ（登録商標）メモリなど）を挿入することができる。
【０１４３】
入力部１３５は、ポインタデバイス（マウス、グラフィックテーブル、など）、キーボード、マイク、カメラ、タッチパネルなどであり得る。
【０１４４】
出力部１３６は、ディスプレイ（液晶ディスプレイ、ブラウン管ディスプレイ、ＬＥＤディスプレイなど）、スピーカーなどを含み得る。
【０１４５】
記憶部１３７はハードディスク、半導体ドライブなどを有し得る。
【０１４６】
通信インターフェース１３８は、例えばローカルエリアネットワーク（ＬＡＮ），無線ローカルエリアネットワーク（ＷＬＡＮ），移動体通信システム（ＧＳＭ（登録商標），ＵＭＴＳ，ＬＴＥ、ＮＲなど）、Ｂｌｕｅｔｏｏｔｈ（登録商標）、赤外線などを介して通信を行うように構成されることができる。
【０１４７】
なお、上記の記載はコンピュータ１３０の構成例にのみに関する。追加または他のセンサ、記憶デバイス、インターフェースなどを用いた他の構成も実施され得る。例えば、通信インターフェース１３８は上記ＵＭＴＳ、ＬＴＥ、ＮＲ以外の無線アクセス方式をサポートしてもよい。
【０１４８】
コンピュータ１３０が基地局として機能する場合、通信インターフェース１３８は、さらに、（Ｅ−ＵＴＲＡプロトコルなどのＯＦＤＭＡ（ダウンリンク）およびＳＣ−ＦＤＭＡ（アップリンク）を提供する）それぞれの無線インターフェースおよび（例えばＳ１−ＡＰ、ＧＴＰ−Ｕ、Ｓ１−ＭＭＥ、Ｘ２−ＡＰなどのプロトコルを実装する）ネットワークインターフェースを有することができる。さらに、コンピュータ１３０は１以上のアンテナおよび／またはアンテナアレイを含み得る。本開示はこのようなプロトコルのどのような特性にも限定されない。
【０１４９】
本明細書において説明される方法は、いくつかの実施形態では、コンピュータおよび／またはプロセッサおよび／または回路が、コンピュータおよび／またはプロセッサおよび／または回路上においてその方法を実行するためのコンピュータプログラムとして実装される。いくつかの実施形態では、上述したようなプロセッサおよび／または回路のようなプロセッサおよび／または回路によって、本明細書で説明される方法を実行させるコンピュータプログラム製品を内部に格納する、非一過性のコンピュータ読み取り可能な記録媒体も提供される。
【０１５０】
実施形態は、方法ステップの例示的な順序付けを有する方法を記述していると認識されるべきである。しかしながら、方法ステップの特定の順序付けは、説明のためにのみ挙げられており、拘束力のあるものとして解釈されるべきではない。
【０１５１】
本明細書および添付の特許請求の範囲に記載されるすべてのユニットおよびエンティティは、別段の記載がない限り、例えばオンチップ論理集積回路として実装することができ、このようなユニットおよびエンティティによって提供される機能は、別段の記載がない限り、ソフトウェアによって実装することができる。
【０１５２】
上述の本開示の実施形態の少なくとも一部が、ソフトウェア制御データ処理装置を使用して実施される限り、このようなソフトウェア制御を提供するコンピュータプログラムと、このようなコンピュータプログラムが提供される送信、記憶または他の媒体とが、本開示の態様として想定される。
【０１５３】
なお、本技術は、以下のような構成をとることも可能である。
（１）
少なくとも１のユーザ機器と通信を行うように構成される回路を含む移動体通信システム用基地局であって、
上記回路はさらに、セルによって提供される少なくとも１のサービスを示すビットマップを含む最小システム情報を送信するように構成される、
移動体通信システム用基地局。
（２）
（１）に記載の基地局であって、
上記ビットマップは複数のビットを含み、
各ビットは、上記セルによって提供される関連サービスを示す、
基地局。
（３）
（１）に記載の基地局であって、
上記ビットマップは複数のビットを含み、
各ビットは、上記セルによって提供される関連サービスグループを示す、
基地局。
（４）
少なくとも１の基地局と通信を行うように構成される回路を含む移動体通信システム用ユーザ機器であって、
上記回路はさらに、
セルによって提供される少なくとも１のサービスを示すビットマップを含む最小システム情報を受信し、
上記最小システム情報に含まれる上記ビットマップに基づいて上記セルを選択するように構成される、
移動体通信システム用ユーザ機器。
（５）
（４）に記載のユーザ機器であって、
上記ビットマップは複数のビットを含み、
各ビットは、上記セルによって提供される関連サービスを示す、
ユーザ機器。
（６）
（４）に記載のユーザ機器であって、
上記ビットマップは複数のビットを含み、
各ビットは、上記セルによって提供される関連サービスグループを示す、
ユーザ機器。
（７）
少なくとも１のユーザ機器と通信を行うように構成される回路を含む移動体通信システム用基地局であって、
上記回路はさらに、セルによって提供される少なくとも１のサービスを示すスケジューリング情報を送信するように構成される、
移動体通信システム用基地局。
（８）
（７）に記載の基地局であって、
上記スケジューリング情報はシステム情報ブロック用のスケジューリング情報を含み、
上記システム情報ブロックは、上記セルによって提供される少なくとも１のサービス用のサービス関連情報を含む、
基地局。
（９）
少なくとも１の基地局と通信を行うように構成される回路を含む移動体通信システム用ユーザ機器であって、
上記回路はさらに、
セルによって提供される少なくとも１のサービスを示すスケジューリング情報を受信し、
受信した上記スケジューリング情報に基づいて上記セルを選択するように構成される、
移動体通信システム用ユーザ機器。
（１０）
（９）に記載のユーザ機器あって、
上記スケジューリング情報はシステム情報ブロック用のスケジューリング情報を含み、
上記システム情報ブロックは、上記セルによって提供される少なくとも１のサービス用のサービス関連情報を含む、
ユーザ機器。
（１１）
少なくとも１のユーザ機器と通信を行うように構成される回路を含む移動体通信システム用基地局であって、
上記回路はさらに、セルがサービス専用セルであることを示すマスタ情報ブロック内の情報を送信するように構成される、
移動体通信システム用基地局。
（１２）
（１１）に記載の基地局であって、
上記情報は、上記セルがサービス専用セルであることを示すビットを含む、
基地局。
（１３）
（１１）または（１２）に記載の基地局であって、
上記回路はさらに、上記サービス専用セルによって提供される少なくとも１のサービスを示すビットマップを含むシステム情報を送信するように構成される、
基地局。
（１４）
（１３）に記載の基地局であって、
上記ビットマップは、上記サービス専用セルと関連付けられているシステム情報ブロックに含まれる、
基地局。
（１５）
（１４）に記載の基地局であって、
上記ビットマップはスケジューリング情報に含まれる、
基地局。
（１６）
少なくとも１の基地局と通信を行うように構成される回路を含む移動体通信システム用ユーザ機器であって、
上記回路はさらに、
セルがサービス専用セルであることを示すマスタ情報ブロック内の情報を受信し、
受信した上記情報に基づいて上記サービス専用セルにサポートされている少なくとも１のサービスを特定するように構成される、
ユーザ機器。
（１７）
（１６）に記載のユーザ機器であって、
上記情報は、上記セルがサービス専用セルであることを示すビットを含む、
ユーザ機器。
（１８）
（１６）または（１７）に記載のユーザ機器であって、
上記回路はさらに、上記サービス専用セルによって提供される少なくとも１のサービスを示すビットマップを含むシステム情報を受信するように構成される、
ユーザ機器。
（１９）
（１８）に記載のユーザ機器であって、
上記少なくとも１のサービスは上記ビットマップに基づいて特定される、
ユーザ機器。
（２０）
（１８）または（１９）に記載のユーザ機器であって、
上記ビットマップは、上記サービス専用セルと関連付けられているシステム情報ブロックに含まれる、
ユーザ機器。
（２１）
（２０）に記載のユーザ機器であって、
上記ビットマップはスケジューリング情報に含まれる、
ユーザ機器。
（２２）
少なくとも１のユーザ機器と通信を行うように構成される回路を含む移動体通信システム用基地局であって、
上記回路はさらに、
セルがサービス専用セルであることを示す少なくとも１のビットを含む最小システム情報を送信し、
オンデマンドシステム情報内のサービス関連情報を送信するように構成される、
移動体通信システム用基地局。
（２３）
少なくとも１の基地局と通信を行うように構成される回路を含む移動体通信システム用ユーザ機器であって、
上記回路はさらに、
セルがサービス専用セルであることを示す少なくとも１のビットを含む最小システム情報を受信し、
上記最小システム情報に含まれる少なくとも１のビットに基づいて、サービス関連情報を含むオンデマンドシステム情報を要求するように構成される、
移動体通信システム用ユーザ機器。
（２４）
少なくとも１の基地局と通信を行うように構成される回路を含む移動体通信システム用ユーザ機器であって、
上記回路はさらに、
サービスに基づいて通信周波数を選択し、
選択された上記通信周波数を用いてセルへのキャンプオンを行い、
サービス関連情報を含むシステム情報を受信し、
上記サービス関連情報に基づいて、キャンプオンを行った上記セルが期待のサービスを提供するかどうかを特定するように構成される、
移動体通信システム用ユーザ機器。
（２５）
（２４）に記載のユーザ機器であって、
上記回路はさらに、キャンプオンを行った上記セルが期待のサービスを提供しないと特定された際に、他のセルを選択するように構成される、
ユーザ機器。
（２６）
（２４）または（２５）に記載のユーザ機器であって、
上記回路はさらに、上記サービス関連情報に基づいて、ランダムアクセスプリアンブルおよび／または物理チャネルリソースを特定するように構成される、
ユーザ機器。
（２７）
少なくとも１の基地局と通信を行うように構成される回路を含む移動体通信システム用ユーザ機器であって、
上記回路はさらに、
サービス関連情報を含むシステム情報を受信し、
上記サービス関連情報に基づいてセルを選択するように構成される、
移動体通信システム用ユーザ機器。
（２８）
（２７）に記載のユーザ機器であって、
上記サービス関連情報に基づいて特定されたセルが期待のサービスを提供する、
ユーザ機器。
（２９）
（２８）に記載のユーザ機器であって、
複数のセルのうち、最も強い信号を提供し、かつ期待のサービスを提供するセルを選択する、
ユーザ機器。
（３０）
（２７）から（２９）のいずれかに記載のユーザ機器であって、
上記サービス関連情報は、マスタ情報ブロックまたはシステム情報ブロックに含まれる、
ユーザ機器。
（３１）
少なくとも１の基地局と通信を行うように構成される回路を含む移動体通信システム用ユーザ機器であって、
上記回路はさらに、アイドル状態または非アクティブ状態から接続状態へ移行すると、上記接続状態へ移行する前に受信したシステム情報に含まれるサービス関連情報に基づいて、期待のサービスが接続セルによって提供されるかどうかを特定するように構成される、
ユーザ機器。
（３２）
（３１）に記載のユーザ機器であって、
上記回路はさらに、他のセルによって上記期待のサービスが提供される際には、上記他のセルから受信したサービス関連情報に基づいて上記他のセルを選択するように構成される、
ユーザ機器。
（３３）
（３２）に記載のユーザ機器であって、
上記回路はさらに、上記他のセルに対してレジュームリクエストを送信するように構成される、
ユーザ機器。
【図１】
2021503214.tif 000003
【図２】
2021503214.tif 000004
【図３】
2021503214.tif 000005
【図４】
2021503214.tif 000006
【図５】
2021503214.tif 000007
【図６】
2021503214.tif 000008
【図７】
2021503214.tif 000009
【図８】
2021503214.tif 000010
【図９】
2021503214.tif 000011
【国際調査報告】
2021503214.tif 000012
2021503214.tif 000013
2021503214.tif 000014
2021503214.tif 000015
2021503214.tif 000016